(57)【要約】【課題】装飾本体の前面にスイング式に回転可能な所定のデザインのスイング部材を取り付けて規則的に律動する動作を行なわせ、しかもスイング部材の前面に宝石類を吊り下げることによって装飾性を大幅に向上させることができる新規な回転装身具を提供する。【解決手段】所定のデザインの装飾本体と、この装飾本体に取り付けた軸ピンと、該軸ピンの先端に取り付けた抜止め用のフランジ部と、該フランジ部と所定の間隔を開けて軸ピン上に回動自在に軸着した所定のデザインのスイング部材と、スイング部材と前記フランジ部との間において、丸環を介して軸ピン上に回動可能に装着した宝石類とを備え、かつ前記宝石類には直接孔開けして前記丸環と適宜連結してあり、前記装飾本体に取り付けたチェーンや紐、止めピン、装身具用止金具類を介してネックレスやペンダント、ブローチ、イヤリングその他の装身具用に使用することができることを特徴とする回転装身具。【選択図】 図１
0003143832.tif 000002
【実用新案登録請求の範囲】
【請求項１】
所定のデザインの装飾本体と、この装飾本体に取り付けた軸ピンと、該軸ピンの先端に取り付けた抜止め用のフランジ部と、該フランジ部と所定の間隔を開けて軸ピン上に回動自在に軸着した所定のデザインのスイング部材と、スイング部材と前記フランジ部との間において、丸環を介して軸ピン上に回動可能に装着した宝石類とを備え、かつ前記宝石類には直接孔開けして前記丸環と適宜連結してあり、
前記装飾本体に取り付けたチェーンや紐、止めピン、装身具用止金具類を介してネックレスやペンダント、ブローチ、イヤリングその他の装身具用に使用することができることを特徴とする回転装身具。
【請求項２】
装飾本体およびスイング部材が板状であり、スイング部材に取り付けた軸受部が、装飾本体およびフランジ部との間に所定の間隔を開ける筒状スペーサとしても働くようにしたことを特徴とする請求項１記載の回転装身具。
【請求項３】
宝石類にはレーザ加工によって直接孔開けして前記丸環と適宜連結してあることを特徴とする請求項１または２に記載の回転装身具。
【考案の詳細な説明】
【技術分野】
【０００１】
この考案は装飾体を回転可能に取り付けた回転装身具に関するものであって、特にスイング式に回転可能な装飾体のみでは動作が単純で画一的な動作しか得られなかったのを、前記装飾体の軸上に回動可能に宝石類を取り付けることにより、より装飾性を向上させた回転装身具を提供しようとするものである。
【背景技術】
【０００２】
従来、この種の回転装身具として装身具に取り付けた軸ピンに装飾体を回転可能に取り付けたものは周知である。
また実開平４−３０１５号公報（特許文献１参照）に記載された回転装身具は、ベース部材に取り付けたポストと、このポストにはめ込まれたベアリング部材と、ベアリング部材に固定した装飾体付きのキャップとを備え、前期装飾体をベース部材に対して回転自在としたものである。
【０００３】
他方、従来の装身具として種々の宝石類を台座に取り付け、この台座ごとチェーン類で装身具本体に吊り下げることにより、宝石類を装身具本体に対して首振り自在としたものも周知である。
【特許文献１】実開平４−３０１５号公報
【考案の開示】
【考案が解決しようとする課題】
【０００４】
しかしながら、上記従来の回転装身具においては、スイング式に回転可能な装飾体のみで動作が単純で画一的な動作しか得られなかったので、見慣れてしまうとじきに飽きてしまい、またスイング部材に宝石類を取り付けても宝石類の個性がスイング部材の動作に紛れてしまい、いずれにしても付加価値の高いものであるというイメージが充分に発揮できないという問題があった。
【０００５】
また従来の宝石類を備えた装身具において、種々の宝石類を台座に取り付け、この台座ごとチェーン類で装身具本体に吊り下げたものが知られているが、装飾性といっても宝石類の豪華さのみであって、多様なバリエーションの装身具を提供することが難しいという問題点があった。
【０００６】
この考案はこのような背景からなされたものであって、装飾本体の前面にスイング式に回転可能な所定のデザインのスイング部材を取り付けて規則的に律動する動作を行なわせ、しかもスイング部材の前面に宝石類を吊り下げることによって装飾性を大幅に向上させることができる、新規な回転装身具を提供しようとするものである。
【課題を解決するための手段】
【０００７】
この考案の回転装身具は、所定のデザインの装飾本体と、この装飾本体に取り付けた軸ピンと、該軸ピンの先端に取り付けた抜止め用のフランジ部と、該フランジ部と所定の間隔を開けて軸ピン上に回動自在に軸着した所定のデザインのスイング部材と、スイング部材と前記フランジ部との間において、丸環を介して軸ピン上に回動可能に装着した宝石類とを備え、かつ前記宝石類には直接孔開けして前記丸環と適宜連結してあり、
前記装飾本体に取り付けたチェーンや紐、止めピン、装身具用止金具類を介してネックレスやペンダント、ブローチ、イヤリングその他の装身具用に使用することができることを特徴とするものである。
【０００８】
この考案の回転装身具は、上記装飾本体およびスイング部材が板状であり、スイング部材に取り付けた軸受部が、装飾本体およびフランジ部との間に所定の間隔を開ける筒状スペーサとしても働くようにしたことをも特徴とするものである。
【０００９】
この考案の回転装身具は、上記宝石類にはレーザ加工によって直接孔開けして前記丸環と適宜連結してあることをも特徴とするものである。
【考案の効果】
【００１０】
この考案にあっては、装飾本体の前面にスイング式に回転可能な所定のデザインのスイング部材を取り付けて規則的に律動する動作を行なわせ、しかもスイング部材の前面に宝石類を吊り下げることによって装飾性を大幅に向上させることができる、新規な回転装身具を提供できるようになった。
【００１１】
また、この考案にあっては宝石類にレーザ加工によって直接孔開けして丸環と適宜連結することにより、スイング部材の前面に吊り下げられて揺動する際に、スイング部材やその他の部材と接触して台座から宝石類が脱落してしまうというおそれのない回転装身具を提供することができる。
【考案を実施するための最良の形態】
【００１２】
以下この考案の回転装身具を、図示の実施の形態に基づいて具体的に説明する。
図１はこの考案の回転装身具の正面図、図２はその背面図、図３はその側面図、図４はベアリング部分の要部拡大断面図である。
【００１３】
図１ないし図４において、回転装身具１１は所定の厚さのリング状をなす装飾本体１２と、この装飾本体１２の前面に組み付けたスイング部材１３と、スイング部材１３の前面に吊り下げた宝石類１４とで構成され、前記装飾本体１２に取り付けたチェーンや紐、止めピン、装身具用止金具類を介してネックレスやペンダント、ブローチ、イヤリングその他の装身具用に使用することができるようになっている。
【００１４】
より詳しく説明すると、装飾本体１２の上部前面にほぼ水平に軸ピン２１を突設するとともに、該軸ピン２１の先端に抜止め用の円形のフランジ部２２を取り付け、該フランジ部２２と一定の間隔を開けて、前記軸ピン２１上に所定の厚さのリング状のスイング部材１３を回動自在に軸着している。
また、前記装飾本体１２およびスイング部材１３はリング状でかつ板状であり、スイング部材１３にその板面の前後に突出するよう取り付けた軸受部２３が、装飾本体１２およびフランジ部２２との間に所定の間隔を開ける筒状スペーサとしても機能するようになっている。
前記軸受部２３は、スイング部材１３の板面の前後に突出する位置にベアリング２４を内蔵しており、したがってスイング部材１３は、軸ピン２１上をスムーズに回動することができる。
【００１５】
前記スイング部材１３と前記フランジ部２２との間には、丸環３１を介して軸ピン２１上に宝石類１４が吊り下げてあり、前記丸環３１は軸ピン２１もしくはスイング部材１３の軸受部２３上に取り付けられて回動可能に保持されている。
したがって、宝石類１４は、前記丸環３１を介して軸ピン２１上もしくは軸受部２３上を、前記スイング部材１３のスイング動作とは別個に、自由に回動することができるようになっている。
【００１６】
前記宝石類１４としては、ダイヤモンドやルビー、サファイヤ、水晶等の宝石類のみならず、貴石類や人造宝石、真珠やサンゴその他の装飾用宝石類が適宜に使用することができる。
この宝石類１４には直接孔開けすることにより、前記丸環３１と適宜連結してある。このように宝石類１４に直接孔開けして丸環３１を挿通すれば、宝石類１４を保持する台座が不要となり、さまざまな形態の宝石類１４を台座の制約なく、自由にこの考案の宝石類１４として活用することができる。
【００１７】
この考案の回転装身具において、前記宝石類１４にはレーザ加工によって直接孔開けすることが望ましい。
例えば、研磨や機械加工等によって宝石類１４に孔開けする場合に比較して、レーザ加工によればきわめて迅速かつ正確に孔開けすることができる。また孔開けのサイズや断面形状等も自由に変えることができ、したがってコスト面でも大きなメリットがある。
【００１８】
図において３２は、装飾本体１２の上部の内周に沿って取り付けた軸ピン２１の台板であり、前記軸ピン２１先端の円形のフランジ部２２とほぼ同じ形状に形成されているので、回転装身具１１を前から見ても後ろから見ても、装飾性にはなんら問題がない。
また、４１は装飾本体１２の上端に固定した吊環で、円形の基板４２の背面の両側に、基板４２と所定の間隔を持たせた上でその上下を基板４２に固定したチェーン挿通部４３を備え、このチェーン挿通部４３にチェーンその他の紐類を挿通してペンダント等として利用することができるように構成してある。
【００１９】
なお、上記実施例においては装飾本体１２やスイング部材１３をリング状として説明したが、それらの形状はリング状に限定されるものではなく、種々の形状やデザイン、あるいはモチーフとすることができることはいうまでもない。
また、宝石類１４も円形や四角形、水滴状、ハート形その他、種々のデザインやカットのものとすることができる。
【産業上の利用可能性】
【００２０】
この考案の回転装身具によれば、上記実施例において説明したペンダントのみならず、イヤリング、ピアスイヤリング、タイタック、ブローチのみならず、その他のさまざまな装身具にも適宜利用することができる。
【図面の簡単な説明】
【００２１】
【図１】この考案の回転装身具の正面図である。
【図２】その背面図である。
【図３】その側面図である。
【図４】ベアリング部分の要部拡大断面図である。
【符号の説明】
【００２２】
１１  回転装身具
１２  装飾本体
１３  スイング部材
１４  宝石類
２１  軸ピン
２２  フランジ部
２３  軸受部
２４  ベアリング
３１  丸環
３２  台板
４１  吊環
４２  基板
４３  チェーン挿通部
【図１】
0003143832.tif 000003
【図２】
0003143832.tif 000004
【図３】
0003143832.tif 000005
【図４】
0003143832.tif 000006